(57)【要約】【課題】マイクロフォン前面に金属製メッシュを配置してノイズを低減する構造を有する携帯端末において、ノイズの低減と耐水性の向上とを同時に実現することができる携帯端末の提供。【解決手段】ノイズ防止構造の耐水性の向上を目的として、ノイズ低減のためにマイクロフォン５０前面に貼付された金属製メッシュ３３上に、更に撥水性メッシュ３４や撥水性不織布を貼付し、携帯電話機１自身が発生するノイズのシールド効果を落とすことなく耐水性を向上させる。また、撥水性メッシュ３４や撥水性不織布をマイクロフォン３０を保持しているゴムホルダ３２の開口部（マイクロフォン３０の音孔側）の内径よりも小さいサイズとし、ゴムホルダ３２の開口部内に配置する構造とすることにより、携帯電話機１の厚みに影響を及ぼすことなく実装可能にすると共に、撥水性メッシュ３４や撥水性不織布の部材費を抑える。【選択図】図６
2008035084.tif 000002
【特許請求の範囲】
【請求項１】
マイクロフォンを搭載した携帯端末であって、
前記マイクロフォンの音声入力側の面に、金属製メッシュと撥水性メッシュ又は撥水性不織布とがこの順に配置されていることを特徴とする携帯端末。
【請求項２】
マイクロフォンを搭載した携帯端末であって、
前記マイクロフォンの音声入力側の面に、金属製メッシュが貼り付けられ、
前記金属製メッシュの上に、撥水性メッシュ又は撥水性不織布が貼り付けられていることを特徴とする携帯端末。
【請求項３】
マイクロフォンを搭載した携帯端末であって、
前記マイクロフォンは、その音声入力側の面が音声を入力するための音孔を備える筐体に固定され、
前記マイクロフォンの前記筐体側の前記音孔に対向する領域に、該音孔よりも大きい径の金属製メッシュが貼り付けられ、
前記筐体の前記マイクロフォン側の前記音孔を含む領域に、該音孔よりも大きい径の前記撥水性メッシュ又は撥水性不織布が貼り付けられていることを特徴とする携帯端末。
【請求項４】
前記筐体の前記マイクロフォン側の前記音孔を含む領域に、前記音孔よりも大きい径の凹部が形成され、前記撥水性メッシュ又は前記撥水性不織布が前記凹部内に固定されていることを特徴とする請求項３記載の携帯端末。
【請求項５】
マイクロフォンを搭載した携帯端末であって、
前記マイクロフォンは、マイク単体と、前記マイク単体の音声入力側の面に配置された金属製メッシュと、前記マイク単体及び前記金属製メッシュを覆い、前記音声入力側に開口部が形成されたゴムホルダと、前記ゴムホルダの前記開口部内に設置され、前記金属製メッシュに固定された撥水性メッシュ又は撥水性不織布と、を少なくとも備えることを特徴とする携帯端末。
【請求項６】
前記金属製メッシュは、前記携帯端末のグランドに接続されていることを特徴とする請求項１乃至５のいずれか一に記載の携帯端末。
【請求項７】
マイクロフォンを搭載した携帯端末であって、
前記マイクロフォンはノイズ発生部品近傍の回路基板に配置され、
前記マイクロフォンは、金属製のカプセルに収納されたマイク単体と、前記マイク単体の音声入力側の面に配置された金属製メッシュと、前記マイク単体及び前記金属製メッシュを覆い、前記音声入力側に開口部が形成されたゴムホルダと、前記ゴムホルダの前記開口部内に設置され、前記金属製メッシュに固定された撥水性メッシュ又は撥水性不織布と、を少なくとも備え、
前記金属製メッシュは、前記カプセルを介して前記回路基板のグランドに接続されていることを特徴とする携帯端末。
【請求項８】
前記ノイズ発生部品は、操作部を裏面から照明するＥＬシートであることを特徴とする請求項７記載の携帯端末。
【請求項９】
前記撥水性メッシュは前記金属製メッシュとは異なる番手で構成され、前記撥水性メッシュと前記金属製メッシュとを重ね合わせることにより、メッシュの目が細かくなることを特徴とする請求項１乃至８のいずれか一に記載の携帯端末。
【発明の詳細な説明】
【技術分野】
【０００１】
本発明は、携帯端末に関し、特に、マイクロフォンへの電気的ノイズの影響を低減するノイズ防止構造を備える携帯端末に関する。
【背景技術】
【０００２】
携帯電話機等の携帯端末は様々な部品が高密度で実装されており、特定の部品が発生する電気的ノイズによって他の部品が影響を受けることがあることから、ノイズを低減するための様々な工夫がされている。例えば、下記特許文献１には、携帯型情報端末に搭載される回路基板等から発生する高周波ノイズを低減するノイズ防止方法が開示されており、回路基板間に導電物を配置したり、筐体の表面に金属箔や金属メッキによる導電物を形成することによって、回路基板等が発生する高周波ノイズを低減している。
【０００３】
【特許文献１】特開２００３−２６４３５５号公報（段落００３７−００４２、第２−３図）
【発明の開示】
【発明が解決しようとする課題】
【０００４】
回路基板や筐体のように導電物を配置可能な部品に関してはある程度ノイズを低減することができるが、携帯端末の部品の中には、その構造及び実装上、導電物を配置することが難しい物品もある。例えば、マイクロフォンはその構造上、音声を入力するための開口部（マイク音孔）が必要であるために導電物で覆うことができず、また、携帯端末の構成上、マイクロフォンは送受信回路やキーを裏面から照明する部品等の近くに配置されるため、これらの部品が発生する電気的ノイズの影響によって、マイクロフォンからの音声信号の雑音レベルが増大してしまうことがある。
【０００５】
そこで、マイクロフォンに対する電気的ノイズを抑制するために、マイクロフォン前面に金属製のメッシュを配置するノイズ防止方法が提案されているが、金属製メッシュは耐水性が弱く、携帯端末に一般的に用いられるコンデンサマイクでは、マイク音孔から液体がマイクロフォン内部に浸入した場合、マイクロフォンのカプセルや電極に蓄えられた電荷が消失し感度劣化が発生するという問題が生じる。
【０００６】
また、金属製メッシュに撥水性を持たせる技術としてテフロン（登録商標）加工などが知られているが、テフロン（登録商標）加工では、折りたたみ型携帯電話機などで筐体を閉じる際の風圧や水圧が加えられた場合には十分な耐水性を得ることができない。一方、十分な耐水性を得るためにマイクロフォンに複雑な防水構造を設けると、携帯端末の厚みが増してしまうという問題が生じる。
【０００７】
従って、上述したノイズ防止構造の弱点である耐水性の向上を、携帯端末の薄型化の妨げにならない方法により実現する構造の提案が必要である。
【０００８】
本発明は、上記問題点に鑑みてなされたものであって、その主たる目的は、マイクロフォン前面に金属製メッシュを配置してノイズを低減する構造を有する携帯端末において、ノイズの低減と耐水性の向上とを同時に実現することができる携帯端末を提供することにある。
【課題を解決するための手段】
【０００９】
上記目的を達成するため、本発明は、マイクロフォンを搭載した携帯端末であって、前記マイクロフォンの音声入力側の面に、金属製メッシュと撥水性メッシュ又は撥水性不織布とがこの順に配置されているものである。
【００１０】
また、本発明は、マイクロフォンを搭載した携帯端末であって、前記マイクロフォンの音声入力側の面に、金属製メッシュが貼り付けられ、前記金属製メッシュの上に、撥水性メッシュ又は撥水性不織布が貼り付けられているものである。
【００１１】
また、本発明は、マイクロフォンを搭載した携帯端末であって、前記マイクロフォンは、その音声入力側の面が音声を入力するための音孔を備える筐体に固定され、前記マイクロフォンの前記筐体側の前記音孔に対向する領域に、該音孔よりも大きい径の金属製メッシュが貼り付けられ、前記筐体の前記マイクロフォン側の前記音孔を含む領域に、該音孔よりも大きい径の前記撥水性メッシュ又は撥水性不織布が貼り付けられているものであり、前記筐体の前記マイクロフォン側の前記音孔を含む領域に、前記音孔よりも大きい径の凹部が形成され、前記撥水性メッシュ又は前記撥水性不織布が前記凹部内に固定されている構成とすることができる。
【００１２】
また、本発明は、マイクロフォンを搭載した携帯端末であって、前記マイクロフォンは、マイク単体と、前記マイク単体の音声入力側の面に配置された金属製メッシュと、前記マイク単体及び前記金属製メッシュを覆い、前記音声入力側に開口部が形成されたゴムホルダと、前記ゴムホルダの前記開口部内に設置され、前記金属製メッシュに固定された撥水性メッシュ又は撥水性不織布と、を少なくとも備えるものである。
【００１３】
本発明においては、前記金属製メッシュは、前記携帯端末のグランドに接続されている構成とすることができる。
【００１４】
また、本発明は、マイクロフォンを搭載した携帯端末であって、前記マイクロフォンはノイズ発生部品近傍の回路基板に配置され、前記マイクロフォンは、金属製のカプセルで覆われたマイク単体と、前記マイク単体の音声入力側の面に配置された金属製メッシュと、前記マイク単体及び前記金属製メッシュを覆い、前記音声入力側に開口部が形成されたゴムホルダと、前記ゴムホルダの前記開口部内に設置され、前記金属製メッシュに固定された撥水性メッシュ又は撥水性不織布と、を少なくとも備え、前記金属製メッシュは、前記カプセルを介して前記回路基板のグランドに接続されているものであり、前記ノイズ発生部品は、操作部を裏面から照明するＥＬシートとすることができる。
【００１５】
また、本発明においては、前記撥水性メッシュは前記金属製メッシュとは異なる番手で構成され、前記撥水性メッシュと前記金属製メッシュとを重ね合わせることにより、メッシュの目が細かくなる構成とすることができる。
【００１６】
このように、本発明では、ノイズ低減のためにマイクロフォン前面に貼付された金属製メッシュの前面に、更に撥水性メッシュや撥水性不織布を貼付する構造とし、また、撥水性メッシュや撥水性不織布をマイクロフォンが保持されているゴムホルダの開口部（マイク音孔側）の内径よりも小さいサイズとして、ゴムホルダの開口部の内側に配置する構造としているため、携帯端末の薄型化を妨げることなく、携帯端末自身が発生するノイズのシールド性の向上と耐水性の向上とを同時に実現することができる。また、撥水性メッシュや撥水性不織布が小さいサイズでよいため、部材費の増加も極力抑えることができる。
【発明の効果】
【００１７】
本発明の携帯端末によれば、下記記載の効果を奏する。
【００１８】
本発明の第１の効果は、携帯端末自身が発生するノイズのシールド効果を落とすことなく耐水性を向上させることができるということである。その理由は、携帯端末の電気的ノイズ対策のために行われるノイズ防止構造の弱点である金属製メッシュの耐水性を、マイクロフォン前面に貼付された金属製メッシュ上に、撥水性メッシュや撥水性不織布を貼付することによって実現しているからである。
【００１９】
具体的には、撥水性メッシュや撥水性不織布をマイクロフォンが保持されているゴムホルダの開口部（マイクロフォンの音孔側）に貼り付ける構造としているため、撥水性メッシュや撥水性不織布を金属製メッシュに重ねて配置することにより、メッシュの目が細かくなり、筐体のマイク音孔から風圧を伴い浸入してきた液体がマイクロフォン内部へ浸入するリスクを低減することができるからである。特に、折り畳み型の携帯電話機の筐体を折りたたむ際の風圧により、筐体のマイク音孔部に付着した液体がマイクロフォンの音孔に浸入することを防ぐことが可能となるため、液体浸入によるマイクロフォンの感度不良の発生を防ぐことができるからである。
【００２０】
また、本発明の第２の効果は、携帯端末の厚みに影響を与えることなく、耐水性の向上を実現することができるということである。その理由は、撥水性メッシュや撥水性不織布を、マイクロフォンが保持されているゴムホルダの開口部（マイクロフォンの音孔側）の内径よりも小さいサイズとし、ゴムホルダの開口部内に配置する構造としているため、貼付される撥水性メッシュや撥水性不織布がマイクロフォン実装の高さに影響を与えることがないからである。
【００２１】
また、本発明の第３の効果は、部材費の増加を極力抑えることができるということである。その理由は、上述したように撥水性メッシュや撥水性不織布をゴムホルダの開口部の内径よりも小さいサイズとしているため、撥水性メッシュや撥水性不織布の部材費を安くすることができるからである。
【発明を実施するための最良の形態】
【００２２】
従来技術で示したように、携帯電話機等の携帯端末において、特定の部品が発生する電気的ノイズによって他の部品が影響を受けることがある。上記ノイズを低減する方法として、回路基板間に導電物を配置したり、筐体の表面に金属箔や金属メッキによる導電物を形成する方法もあるが、マイクロフォンはその構造及び実装上、導電物を配置することが難しく、携帯端末に搭載される各種電気部品（例えば、送受信回路やキーを裏面から照明する部品）が発生する電気的ノイズの影響によって、マイクロフォンからの音声信号の雑音レベルが増大してしまうという問題がある。
【００２３】
この問題に対して、本願発明者は先願（特願２００６−０１２２９５号）において、携帯端末自身がノイズを発生する場合に携帯端末に搭載されるマイクロフォンへのノイズの影響を低減するために、金属製のメッシュをマイクロフォン前面に配置する構造を提案している。しかしながら、金属製メッシュはマイクロフォンに従来用いられてきた撥水性不織布などと比較すると耐水性が弱く、携帯端末に一般的に用いられるコンデンサマイクでは使用者の取扱によりマイク音孔から液体がマイクロフォン内部に浸入した場合、マイクロフォンのカプセルや電極に蓄えられた電荷が消失して感度劣化が発生する恐れが高くなる。
【００２４】
そこで、本発明では、先願のノイズ防止構造の弱点である耐水性の向上を目的として、ノイズ低減のためにマイクロフォン前面に貼付された金属製メッシュ上に、更に撥水性メッシュや撥水性不織布を貼付し、携帯端末自身が発生するノイズのシールド効果を落とすことなく耐水性を向上させている。また、撥水性メッシュや撥水性不織布を、マイクロフォンを保持しているゴムホルダの開口部（マイクロフォンの音孔側）の内径よりも小さいサイズとし、ゴムホルダの開口部内に配置する構造としているため、携帯端末の厚みに影響を及ぼすことなく実装可能にすると共に、撥水性メッシュや撥水性不織布にかかる部材費を極力抑えている。
【実施例１】
【００２５】
上記した本発明の実施の形態についてさらに詳細に説明すべく、本発明の第１の実施例に係る携帯端末について、図１乃至図６を参照して説明する。
【００２６】
図１は、本実施例の折り畳み構造を有する携帯電話機の正面外観図及び側面外観図である。図１に示すように、本実施例の折り畳み構造を有する携帯電話機１は、表示部２０や受話用スピーカ２１等を有する第１の筺体（以下、上側筐体２という。）と、操作部２３やマイクロフォン３０等を有し、上側筺体２の下端部に設けられたヒンジ４にて回動可能に連結された第２の筺体（以下、下側筐体３という。）とから構成され、ヒンジ４にて回動させることにより上側筺体２が下側筺体３に対して開閉されるようになっている。
【００２７】
上側筐体２には、ＬＣＤ（Liquid Crystal Display）や有機ＥＬディスプレイ（organic electroluminescence display）などからなる表示部２０、受話用スピーカ２１、回路基板、正面側ケース、背面側ケースなどにより構成される。
【００２８】
下側筺体３には、バッテリー、操作部２３、表示部２０やスピーカ等の駆動回路、集積回路、無線回路等を有する回路基板、音声入力手段であるマイクロフォン３０、イヤホンジャック、画像データやメロディーデータ記録用のメモリーカードを挿入するスロット、入力キー側のケース、背面側のケースなどにより構成される。
【００２９】
図２は、携帯電話機１の構成の例を示すブロック図である。図２に示すように、携帯電話機１は、電波の送受信を行うアンテナ５と、制御部１０と、記憶部１１と、無線通信部１２と、操作部２３と、表示部２０と、カメラユニット（以下、カメラという。）２４と、受話音声鳴動用の受話用スピーカ２１と、着信音やメロディー出力用のスピーカ２２と、音声入力用のマイクロフォン３０と、後述する操作部２３の構成要素であるキーシートの背面に配置されキーシートを照光するためのＥＬシート１４と、ＥＬシート１４の駆動制御を行うＥＬ駆動回路１３とを備えている。
【００３０】
制御部１０は、例えばＣＰＵ（Central Processing Unit：中央処理装置）と、図示しない各種の周辺回路とで構成され、携帯電話機１が備える各部の制御を行う機能を有する。
【００３１】
記憶部１１は、例えばＲＡＭ（Random Access Memory）等の記憶媒体によって構成され、制御部１０が実行する制御プログラム等の各種のデータが格納される。
【００３２】
無線通信部１２は、所定の通信プロトコルに従って信号の変復調を行う機能を有する。具体的には、無線通信部１２は、アンテナ５を介して受信した無線信号を復調する処理を行う。また、無線通信部１２は、制御部１０から出力された信号を変調し、アンテナ５を介して無線信号を送信する処理を行う。
【００３３】
操作部２３は、例えば、電話番号の入力等を行うためのキーボタンによって構成され、ユーザの操作に応じた入力信号を制御部１０に出力する機能を有する。この操作部２３はキーボタンを押圧する構成としてもよいし、表示機能と操作機能を兼ね備えたタッチパネルを用いてもよい。
【００３４】
表示部２０は、例えばＬＣＤや有機ＥＬディスプレイによって構成され、携帯電話機１の折り畳み時に上側筐体２の内側（又は上側筐体２の内側と外側の両面）に配設され、表示部２０には、例えば待ち受け画面や機能設定画面等が表示される。
【００３５】
カメラ２４は、例えばディジタルカメラが備える各種の機能を有し、被写体を撮像するＣＣＤ（Charge Coupled Devices）等の撮像素子や、撮像によって得た画像データを制御部１０に出力する回路等を備えている。
【００３６】
着信音や着信メロディーはスピーカ２２から鳴動され、通話時の音声信号は受話用スピーカ２１から出力される。
【００３７】
ＥＬシート１４は、制御部１０の制御によりＥＬ駆動回路１３から出力される駆動電源が供給されると発光する機能を備える。
【００３８】
なお、図１及び図２の構成は例示であり、本実施例の携帯電話機１にはマイクロフォン３０を備えていればよく、携帯電話機１の形態（折り畳み型、スライド型、一体型など）や各部品の配置は任意であり、携帯電話機１の機能としてＲＦＩＤ（Radio Frequency Identification）機能やＴＶ放送受信機能などの他の機能を備えていてもよい。また、以下ではＥＬシート１４で操作部２３を照明する構成について説明するが、ＥＬシート１４が無い場合でも同様の効果を得ることができる。
【００３９】
次に、下側筺体３の構成について説明する。図３は、下側筐体３を分解した状態を示す説明図である。図３に示すように、下側筺体３の入力キー側のキー側ケース４１の裏側に、携帯電話機１の各キーボタン部が形成されているキーシート４０が配置される。また、キーシート４０の裏面側（キー側ケース４１に対して反対側）には、ＥＬシート１４が配置される。本実施例では、制御部１０からの制御によりＥＬ駆動回路１３により生成された電源がＥＬシート１４に供給され、ＥＬシート１４が発光することによって、携帯電話機１のユーザにキーシート４０が発光しているように見せることができる。
【００４０】
また、ＥＬシート１４の裏面側（キーシート４０に対して反対側）には、各種制御回路が実装される回路基板２８が配置される。また、回路基板２８には、携帯電話機１を外部装置（例えば、パーソナルコンピュータ等の情報端末や充電器）と接続するためのＩ／Ｏコネクタ２９が接続され、Ｉ／Ｏコネクタ２９の表面側にマイクロフォン３０が配置される。このマイクロフォン（コンデンサマイク）３０は、音声通話時の音声信号を取得（入力）するために用いられ、音声信号を電気信号に変換する。なお、本実施例では、マイクロフォン３０はコンデンサマイクとするが、その他の駆動方式を用いたマイクロフォンであってもよい。また、Ｉ／Ｏコネクタ２９は、外部機器との信号のやり取りを行うためのコネクタであるが、マイクロフォン３０を固定するためのリブが設けられており、そのリブによりマイクロフォン３０が固定される。
【００４１】
また、回路基板２８は、ＬＳＩ（Large Scale Integration）などが実装され、所定の回路が形成されている。本実施例では、回路基板２８は携帯電話機１の制御を行ったりＥＬシート１４に電源を供給したりするためのＬＳＩが実装される。また、図３に示すように、下側筐体３において、ＥＬシート１４とマイクロフォン３０とは近傍に実装される。また、マイクロフォン３０は、キー側ケース４１の音孔の裏面側に位置するように配置され、キー側ケース４１と背面側ケース４２とによって上下両方から保持されて下側筺体３に格納される。
【００４２】
なお、図３の構成も例示であり、各部品の構造や配置は適宜変更することができる。また、本実施例ではマイクロフォン３０がＩ／Ｏコネクタ２９に固定される場合について説明するが、マイクロフォン３０が他の部品、例えば回路基板２８に固定される場合でも同様の効果を得ることができる。
【００４３】
次に、マイクロフォン３０の構成について説明する。図４（ａ）は、本実施例のマイクロフォン３０の正面外観図であり、図４（ｂ）はマイクロフォン３０の中心線Ｂ−Ｂの断面図である。図４に示すように、本実施例のマイクロフォン３０は、マイク単体３１とゴムホルダ３２と金属製メッシュ３３と撥水性メッシュ３４とから構成される。
【００４４】
金属製メッシュ３３は、例えばステンレスなどの細線をメッシュ状にしたものであり、マイク単体３１とほぼ同径のサイズであり、マイク単体３１の音孔部側に貼り付けられる。ゴムホルダ３２は、マイクロフォン３０の音孔部側となる向きに開口部を持ち、金属製メッシュ３３が貼り付けられたマイク単体３１を包み込むように保持する。撥水性メッシュ３４は、例えばナイロンなどの繊維からなり、音響的に抵抗となりにくい（マイク感度特性の劣化が少ない）厚みと番手で構成されることが望ましい。撥水性メッシュ３４は、ゴムホルダ３２の開口部の径より若干小径であり、ゴムホルダ３２の開口部の範囲内で金属製メッシュ３３に貼付されている。これにより、撥水性メッシュ３４は、後述するマイク単体３１のマイク音孔３１ｄの音孔範囲を覆うようにして貼り付けられることになる。
【００４５】
このように、撥水性メッシュ３４を金属製メッシュ３３に重ねて配置することにより、メッシュの目を細かくすることができ、キー側ケース４１のマイク音孔から風圧を伴い浸入してきた液体がマイク単体３１の音孔からマイクロフォン３０内部へ侵入するリスクを低減することができる。なお、撥水性メッシュ３４のメッシュの番手を金属製メッシュ３３の番手と変えることにより、メッシュの目を細かくすることも可能である。また、撥水性メッシュ３４は、ナイロンやアクリルなどの繊維でできた不織布に撥水処理を施した撥水性不織布としてもよい。
【００４６】
また、撥水性メッシュ３４の厚みは約０．１ｍｍであり、図中のＣで示したゴムホルダ３２の前面のゴム厚より薄くすることが容易であるため、マイクロフォン３０を筐体に実装する際にマイク部の実装高さを拡大する必要がなく、マイクロフォン３０前面に過度なストレスを与えることがないという利点がある。
【００４７】
次に、マイクロフォン３０の構成要素であるマイク単体３１の動作とマイクロフォン３０の構造について説明する。図５は、マイクロフォン３０の構造の例を示す断面図であり、マイク単体３１の内部構造を示す模式図である。図５に示すように、マイク単体３１は、プリント基板３１ｅに実装されたＦＥＴ３１ａや振動板３１ｂを含むマイクロフォン本体が、金属製（例えば、銅を含む合金製）のカプセル３１ｃ内に収納されるように構成されている。また、カプセル３１ｃの前面には、音声を入力するためのマイク音孔３１ｄが複数個設けられている。また、カプセル３１ｃは、配線等によって、又はゴムホルダ３２の底面側に予め設けた開口部（図示せず）で回路基板２８に接触することによって、回路基板２８のグランドに接続されている。本実施例のマイクロフォン３０はコンデンサマイクであり、振動板３１ｂとカプセル３１ｃとの間に形成されたコンデンサの容量変化を電気信号として変換して出力するものであり、振動板３１ｂに対向するカプセル３１ｃの内側に貼付された高分子フィルムには電荷が帯電されている。
【００４８】
また、カプセル３１ｃの前面には金属製メッシュ３３が貼り付けられており、金属製メッシュ３３を金属製のカプセル３１ｃと接するように配置することによって、カプセル３１ｃと電気的に導通される。そして、金属製メッシュ３３は、カプセル３１ｃを介して、回路基板２８のグランドに接地され、キー側ケース４１の音孔から電気的ノイズが入力された場合、カプセル３１ｃのマイク音孔３１ｄからマイクロフォン３０内部に入り込む電気的ノイズが金属製メッシュ３３によってシールドされる。
【００４９】
具体的には、本実施例では、マイクロフォン３０近傍（例えば、同一の筐体部）に配置されたＥＬシート１４から放射される電気的なノイズがカプセル３１ｃのマイク音孔３１ｄから入力されうるが、金属製メッシュ３３でシールドされることによって、マイクロフォン３０内部に入り込む電気的ノイズのレベルを低減することができる。また、本実施例では、マイクロフォン３０を、グランドに接続することによってシールドされたＩ／Ｏコネクタ２９上に配置することによって、マイクロフォン３０の裏面（音声が入力される側とは反対側の面）側からの電気的なノイズをも低減することができる。
【００５０】
次に、マイクロフォン３０の具体的な取り付け構造について説明する。図６は、マイクロフォン３０の取り付け構造の一例を示す断面図である。図６に示すように、キー側ケース４１には、マイク音孔４１ａを中心として円環状にマイクロフォン３０を固定するマイク固定リブ４１ｂが設けられている。マイクロフォン３０は、マイク単体３１と金属製メッシュ３３とゴムホルダ３２と撥水性メッシュ３４とを含み、マイク固定リブ４１ｂに嵌合して固定される。
【００５１】
次に、携帯電話機１のＥＬシート１４を発光させる動作とＥＬシート１４が発光する際に発生する電気的ノイズの低減について説明する。
【００５２】
携帯電話機１において、使用者が操作部２３の各種キーを押下したり、携帯電話機１に着呼がかかるなどのキーシート４０を発光させるための所定の発光条件が成立すると、回路基板２８のＥＬ駆動回路１３からＥＬシート１４に電源が供給される。そして、ＥＬシート１４に電源が供給されてＥＬシート１４が発光することによって、ユーザが携帯電話機１の操作部２３を見ると携帯電話機１のキーシート４０が発光して見える。
【００５３】
その際、ＥＬシート１４の発光時にはＥＬシート１４の陽極と陰極との極板間に約３００Ｈｚの交流駆動電圧が印加されるために電気的なノイズが発生し、このノイズが周辺に放射され、ＥＬシート１４の近傍に実装されたマイクロフォン３０のマイク音孔３１ｄからマイクロフォン３０内部に侵入されうる。すると、電気的ノイズの入力によって、マイクロフォン３０の振動板３１ｂに接続されたＦＥＴ３１ａのゲートの信号レベルが変動し、マイクロフォン３０の出力信号に雑音が生じてしまう。
【００５４】
しかしながら、本実施例の携帯電話機１では、マイクロフォン３０の前面に金属製メッシュ３３が貼り付けられており、回路基板２８のグランドに接地された金属製メッシュ３３は、ＥＬシート１４から発生し、マイク音孔３１ｄからマイクロフォン３０内部に入ろうとする電気的なノイズをシールドするため、電気的なノイズがマイクロフォン３０に入力されることを低減することができる。
【００５５】
このように、本実施例によれば、電気的ノイズのマイク内部への侵入をシールドするための金属製メッシュ３３の上に、撥水性メッシュ３４や撥水性不織布をゴムホルダ３２の開口部の内径の範囲内に貼付することにより、マイクロフォン３０内部へ液体が浸入することを防ぎ、マイクロフォン３０のカプセル３１ｃや電極に蓄えられた電荷が消失してマイクロフォン３０の感度の劣化が発生するリスクを大幅に低減することができると共に、マイク実装の高さに影響を与えないため、携帯電話機１の薄型化を妨げることもなく、更に、撥水性メッシュ３４や撥水性不織布の部材費の低減を図ることができる。また、撥水性メッシュ３４のメッシュの番手を金属製メッシュ３３の番手と変えることにより、メッシュの目を細かくすることも可能であり、更に防水性を高めることができる。
【実施例２】
【００５６】
次に、本発明の第２の実施例に係る携帯端末について、図７を参照して説明する。
【００５７】
図７は、本発明の第２の実施例に係る携帯電話機のマイクロフォンの具体的な取り付け構造の一例を示す断面図であり、下側筐体３のキー側ケース４４にマイクロフォンが実装された様子を示している。
【００５８】
下側筐体３のキー側ケース４４の内側には、マイク音孔４４ａを中心として円環状にマイクロフォン５０を固定するマイク固定リブ４４ｂが設けられると共に、マイク音孔４４ａを中心としてゴムホルダ５２の内径Ｄ以下の寸法の範囲にメッシュ貼り付け面４４ｃが設けられており、撥水性メッシュ５４は両面テープなどの粘着材によりメッシュ貼り付け面４４ｃに貼り付けられている。マイクロフォン５０は、金属製メッシュ５３がマイク単体５１の前面（音孔面）に貼付された状態でゴムホルダ５２にアセンブリされて、マイク固定リブ４４ｂに嵌合して固定される。
【００５９】
なお、メッシュ貼り付け面４４ｃは、周辺部より撥水性メッシュ５４の厚み分低くする（窪んだ状態とする）ことが望ましいが、ケースの剛性などの問題により、メッシュ貼り付け面４４ｃを撥水性メッシュ５４の厚み分低くすることが困難な場合には、ゴムホルダ５２の内径内に撥水性メッシュ５４を貼り付けるための位置決めが可能となる程度の高低差を設ける構成としてもよい。また、本実施例においても、撥水性メッシュ５４に代えてナイロンやアクリルなどの繊維でできた不織布に撥水処理を施した撥水性不織布を用いてもよい。
【００６０】
このように、筐体（キー側ケース４４）に撥水性メッシュ５４を固定することによっても、前記した第１の実施例と同様に、マイクロフォン５０の実装高さを増やすことなく、また、携帯端末自身が発生させる電気的ノイズのシールド効果を落とすことなく、耐水性を改善することができる。
【００６１】
なお、上記各実施例では、本発明のノイズ防止構造を携帯電話機に適用する場合を示したが、本発明は上記実施例に限定されるものではなく、マイクロフォンを備えた任意の機器、例えば、ＰＤＡ（Personal Digital Assistants）などの携帯端末、トランシーバ、ＩＣレコーダ、携帯型ゲーム機などに対しても同様に適用することができる。
【産業上の利用可能性】
【００６２】
本発明は、マイクロフォンを備えた任意の機器、特に、携帯電話機に利用可能である。
【図面の簡単な説明】
【００６３】
【図１】本発明の第１の実施例に係る折り畳み構造を有する携帯電話機の正面外観図及び側面外観図である。
【図２】本発明の第１の実施例に係る携帯電話機の構成を示すブロック図である。
【図３】本発明の第１の実施例に係る携帯電話機の下側筐体を分解した状態を示す説明図である。
【図４】本発明の第１の実施例に係る携帯電話機のマイクロフォンの正面外観図及びＢ−Ｂ断面図である。
【図５】本発明の第１の実施例に係る携帯電話機のマイクロフォンの構造を示す断面図である。
【図６】本発明の第１の実施例に係る携帯電話機のマイクロフォンの具体的な取り付け構造を示す断面図である。
【図７】本発明の第２の実施例に係る携帯電話機のマイクロフォンの具体的な取り付け構造を示す断面図である。
【符号の説明】
【００６４】
１  携帯電話機
２  上側筐体
３  下側筐体
４  ヒンジ
５  アンテナ
１０  制御部
１１  記憶部
１２  無線通信部
１３  ＥＬ駆動回路
１４  ＥＬシート
２０  表示部
２１  受話用スピーカ
２２  スピーカ
２３  操作部
２４  カメラ
２８  回路基板
２９  Ｉ／Ｏコネクタ
３０  マイクロフォン
３１  マイク単体
３１ａ  ＦＥＴ
３１ｂ  振動板
３１ｃ  カプセル
３１ｄ  マイク音孔
３１ｅ  プリント基板
３２  ゴムホルダ
３２ａ  開口部外壁
３３  金属製メッシュ
３４  撥水性メッシュ
４０  キーシート
４１、４４  キー側ケース
４１ａ、４４ａ  マイク音孔
４１ｂ、４４ｂ  マイク固定リブ
４２  背面側ケース
４４ｃ  メッシュ取り付け面
５０  マイクロフォン
５１  マイク単体
５２  ゴムホルダ
５３  金属製メッシュ
５４  撥水性メッシュ
【図１】
2008035084.tif 000003
【図２】
2008035084.tif 000004
【図３】
2008035084.tif 000005
【図４】
2008035084.tif 000006
【図５】
2008035084.tif 000007
【図６】
2008035084.tif 000008
【図７】
2008035084.tif 000009